(57)【特許請求の範囲】
【請求項１】
軸筒の内部に筆記具レフィルを収容し、前記筆記具レフィルのペン先が出没可能な先端口を軸筒の先端部に設け、前記軸筒の先端部を少なくとも合成樹脂の射出成形により構成した出没式筆記具であって、前記先端口の内周面の開口端部の一部に凹部を設け、前記凹部内に射出成形用のゲート部を設け、前記先端口の内周面の開口端部の凹部を除いた部分に、筆記具レフィルの外周面を支持する支持部を設けたことを特徴とする出没式筆記具。
【請求項２】
前記支持部が合成樹脂製のペン先ホルダーの外周面を支持する請求項１記載の出没式筆記具。
【請求項３】
前記ペン先が直円筒状の細管よりなるボールペンチップである請求項１または２記載の出没式筆記具。
【発明の詳細な説明】
【０００１】
【発明の属する技術分野】
本発明は、出没式筆記具に関する。詳細には、軸筒の内部に筆記具レフィルを収容し、前記筆記具レフィルのペン先が出没可能な先端口を軸筒の先端部に設けた出没式筆記具に関する。尚、本発明で「前」とは先端口側を指し、「後」とはその反対側を指す。
【０００２】
【従来の技術】
従来、この種の出没式筆記具において、特開平１０−２３６０６６号公報には、ゲートマークが目立たず、外観の見栄えが良好なものになり、且つ、ゲートマークが多少突出したとしてもレフィル出没作動に影響を与えないようにするために、軸先端口（本発明の先端口）の開口部に、ゲートマークが現れるようにした拡口部を設け、該拡口部の後方にレフィル支持孔部（本発明の支持部）を設けた構成が開示されている。
【０００３】
前記従来の構成は、筆記時、レフィルが、拡口部の後方のレフィル支持孔部によって支持されており、拡口部（即ち先端口の開口端部）においてはレフィルが支持されていないため、ペン先がぐらつき、ユーザーに不安定な筆記感を与えるおそれがある。
【０００４】
また、筆記具レフィルが先端口の内周面に接触する箇所は、金属製のチップ本体の外周面である場合や、チップ本体を保持する合成樹脂製のペン先ホルダーの外周面である場合が考えられる。その中でも、合成樹脂製のペン先ホルダーの外周面と、先端口の内周面とが接触する場合、ペン先ホルダーが軟質となり変形しやすく、金属製のペン先チップ本体の場合に比べ、筆記時のペン先のぐらつきが発生しやすい。
【０００５】
また、ペン先が、直円筒状の細管よりなるボールペンチップ（いわゆるニードルチップ）の場合、ペン先自体が細くなり、筆記時のペン先のぐらつきが、一層、発生しやすい。
【０００６】
【発明が解決しようとする課題】
本発明は、前記従来の問題点を解決するものであって、ゲートマークが目立たず、軸筒の美観が損なわれることがなく、しかも、ゲートマークが突出したとしてもレフィルの出没作動を阻害することがなく、その上、筆記時、ペン先のぐらつきが十分に抑えられ、ユーザーに安定した筆記感を与える出没式筆記具を提供しようとするものである。
【０００７】
【課題を解決するための手段】
〔１〕本発明は、軸筒２の内部に筆記具レフィル４を収容し、前記筆記具レフィル４のペン先５が出没可能な先端口３を軸筒２の先端部２１に設け、前記軸筒２の先端部２１を少なくとも合成樹脂の射出成形により構成した出没式筆記具１であって、前記先端口３の内周面の開口端部の一部に凹部３１を設け、前記凹部３１内に射出成形用のゲート部３２を設け、前記先端口３の内周面の開口端部の凹部３１を除いた部分に、筆記具レフィル４の外周面を支持する支持部３３を設けること（請求項１）を要件とする。
【０００８】
先端口３の開口端部の内周面における凹部３１を除いた箇所に、筆記具レフィル４の外周面を支持する支持部３３を設けたことにより、筆記具レフィル４の外周面の、従来よりも前方位置を支持できるため、筆記時、ペン先５がぐらつくおそれがない。また、先端口３の凹部３１内に射出成形用のゲート部３２を設けたことにより、ゲートマークが目立たず、軸筒２の外観が損なわれることがなく、さらに、ゲートマークが多少突出しても、ゲートマークが筆記具レフィル４の外周面に接触しないため、筆記具レフィル４の円滑な出没作動が阻害されることがない。
【０００９】
前記支持部３３は、先端口３の開口端部の内周面のみに設ける構成の他、先端口３の開口端部の内周面から凹部３１後方の先端口３の内周面に連設する構成でもよい。また、前記凹部３１の周方向の範囲は、先端口３の中心からの角度αが７０度以内（好ましくは６５度以内）に設定されることが、ペン先５の十分なぐらつき防止がなされる点で好ましい。
【００１０】
〔２〕前記請求項１の出没式筆記具１において、前記支持部３３が金属製のペン先（例えば、金属製ボールペンチップ、またはペン先外周を保護する金属製ペン先保護部材）の外周面を支持する構成であってもよいが、前記支持部３３が合成樹脂製のペン先ホルダー６の外周面を支持する構成（請求項２）が好ましい。
【００１１】
筆記時、合成樹脂製のペン先ホルダー６の外周面と支持部３３とが接触する場合、筆記時のペン先５のぐらつきが発生しやすいが、前記請求項１の構成と相まって、筆記時のペン先５のぐらつきが十分に抑えられる。
【００１２】
〔３〕前記請求項１または２の出没式筆記具１において、前記ペン先５は、例えば、先端部に大きな円錐面を備えた金属製ボールペンチップ、多孔質ペン体、繊維ペン体、シャープペンシル等、いずれであってもよいが、前記ペン先５が直円筒状の細管よりなるボールペンチップである構成（請求項３）が好ましい。
【００１３】
ペン先５が直円筒状の細管よりなる場合、ペン先５自体が細くなり、筆記時のペン先５のぐらつきが発生しやすいが、前記請求項１の構成と相まって、筆記時のペン先５のぐらつきが十分に抑えられる。尚、前記直円筒状の細管よりなるボールペンチップとは、チップ本体のボール抱持部の後方が均一肉厚を有する細管からなるものであって、例えば、その細管の外径は、２ｍｍ以下（好ましくは１．５ｍｍ以下）の細管が有効である。
【００１４】
【発明の実施の形態】
本発明の実施の形態を図面に従って説明する。
【００１５】
図１乃至図５は本発明の出没式筆記具１の一実施例であって、図１及び図２はペン先突出状態を示し、図３乃至図５はペン先没入状態を示す。
【００１６】
図１及び図２に示すように、本実施例の出没式筆記具１は、軸筒２の後端部のノック部２２を前方に押圧操作することによりペン先５が軸筒２の先端口３から出没する後端ノック式の出没機構を備えた筆記具である。前記出没式筆記具１は、主に、軸筒２と、該軸筒２内に収容される筆記具レフィル４と、該筆記具レフィル４を後方に付勢し且つ軸筒２内に収容されるコイルスプリング９とからなる。尚、前記出没機構は、前記後端ノック式以外にも、例えば、回転式やサイドノック式等が挙げられる。
【００１７】
前記軸筒２は、合成樹脂（例えば、ポリカーボネート、ポリエチレンテレフタレート、ポリプロピレン等）の射出成形により得られる円筒体である。前記軸筒２の先端部２１は、先細状に形成され、該先端部２１に先端口３が前方に開口される。また、前記軸筒２の後端部外面には、クリップ２３が突設される。本実施例では、軸筒２の先端部２１がその後方の軸筒２の前部と合成樹脂の射出成形により一体に構成されているが、この他にも、先端口３を備える先端部２１のみを合成樹脂の射出成形体の別部材により構成してもよい。
【００１８】
前記筆記具レフィル４は、ペン先５と、該ペン先５の後部６３が圧入固着されるペン先ホルダー６と、該ペン先ホルダー６の後端部が圧入固着されるインキ収容管８とからなる。
【００１９】
前記ペン先５は、金属製（例えば、ＳＵＳ３０４、ＳＵＳ３２１等のオーステナイト系のステンレス鋼製）の均一肉厚を有する直円筒状の細管よりなるチップ本体５１と、該チップ本体５１の先端部に回転可能に抱持されるボール５２（例えば、外径が０．５ｍｍまたは０．７ｍｍ）とからなる。前記チップ本体５１の先端には、内方への押圧変形により環状の内向きの先端縁部５３が形成される。さらに、前記先端縁部５３の後方のチップ本体５１の側壁内面には、内方への押圧変形により複数の内方突出部５４（即ちボール受け座）が周方向等間隔に形成される。前記先端縁部５３内面と前記内方突出部５４前面との間（即ちボール抱持部）にボール５２が回転可能に抱持される。
【００２０】
尚、前記ボール５２の外径が、０．５ｍｍの場合、前記細管の外径は、０．８ｍｍに設定され、前記内方突出部５４の個数は、３個に設定される。前記ボール５２の外径が、０．７ｍｍの場合、前記細管の外径は、１．０ｍｍに設定され、前記内方突出部５４の個数は、４個に設定される。
【００２１】
前記ペン先ホルダー６は、合成樹脂（例えば、ポリプロピレン、ポリアセタール等）の射出成形により得られる筒状体である。前記ペン先ホルダー６は、ペン先５が取り付けられる先細状の前部６１と、インキ収容管８の先端面と当接する鍔部６２と、インキ収容管８の先端開口部に圧入される後部６３とからなる。前記ペン先ホルダー６の内部には、ペン先５が圧入固着される取付孔６４と、該取付孔６４後端と連通するインキ流通孔６５とが形成される。また、前記ペン先ホルダー６の先細状の前部６１の外周面には、外周面に複数本の軸方向のリブ（図示せず）が一体に形成され、前記リブが先端口３の内周面により支持される。
【００２２】
前記インキ流通孔６５及びチップ本体５１内には、ストレート部７１とコイル部７２よりなるスプリング７が挿入配置される。前記スプリング７のストレート部７１が、チップ本体５１内に挿入され、ボール５２の後面を前方に押圧し、ボール５２前面と先端縁部５３内面とを環状に密接させる。それにより、非筆記時、前記スプリング７のストレート部７１によりボール５２が前方に押圧され、前記ボール５２と前記先端縁部５３の内面とが密接され、ペン先５がシールされる。その結果、ペン先５を下向き状態で保管したとしても、ペン先５からのインキ漏出が防止され、また、ペン先５を上向き状態で保管したとしても、ペン先５からの空気混入が防止される。
【００２３】
また、前記スプリング７のコイル部７２は、後端部が膨出され、それがインキ流通孔６５の内面の係止突起６６と乗り越え係止される。
【００２４】
前記インキ収容管８は、両端が開口された円筒体であり、合成樹脂の押出成形により得られる。前記インキ収容管８の先端開口部には、ペン先５を有するペン先ホルダー６の後部６３が圧入固着され、一方、前記インキ収容管８の後端開口部には、通気孔が貫設された尾栓（図示せず）が圧入固着される。前記インキ収容管８の内部には、インキ（例えば、剪断減粘性が付与された水性ゲルインキ、または中粘度の油性インキ）と、該インキの後端に配置され且つ該インキの消費に伴って前進するグリス状の追従体（図示せず）とが充填される。尚、前記インキ収容管８は、合成樹脂の射出成形によって、ペン先ホルダー６と一体に構成されてもよい。
【００２５】
図３乃至図５に示すように、前記先端口３の内周面の開口端部には、凹部３１が形成される。前記凹部３１は、径方向内方に開口し且つ軸方向前方に開口している。前記凹部３１の周方向の範囲は、先端口３の中心からの角度αが６０度に設定されている。
【００２６】
前記凹部３１を除く先端口３の内周面には、ペン先ホルダー６の外周面を支持する支持部３３が形成される。前記支持部３３は、凹部３１後方の先端口３の内周面及び凹部３１を除く先端口３の開口縁の内周面に形成される環状内面であり、その内径は、ペン先突出状態のペン先ホルダー６の、支持部３３内面に接触する部分の外径（即ちリブ外接円径）より僅かに小さく設定される。
【００２７】
さらに、前記凹部３１内には、射出成形用のゲート部３２が位置される。図３及び図５においてドット部分は、径方向内方に突出したゲートマークを示す。前記ゲートマークは、凹部３１内において径方向内方に僅かに突出し且つ先端口３の支持部３３の内周面より内方へは突出していないため、ペン先５の出没作動の際、ペン先ホルダー６の外周面と接触せず、円滑な出没作動が維持される。
【００２８】
【発明の効果】
請求項１により、ゲートマークが目立たず、軸筒の美観が損なわれることがなく、また、ゲートマークが突出したとしてもペン先の出没作動を阻害することがなく、さらに、筆記時のペン先のぐらつきが十分に抑止される。
【００２９】
請求項２により、支持部が合成樹脂製のペン先ホルダーの外周面を支持する場合であっても、筆記時のペン先のぐらつきが十分に抑止される。
【００３０】
請求項３により、ペン先が直円筒状の細管よりなるボールペンチップの場合であっても、筆記時のペン先のぐらつきが十分に防止される。
【図面の簡単な説明】
【図１】本発明の一実施例のペン先突出状態を示す縦断面図である。
【図２】図１の要部拡大縦断面図である。
【図３】図１のペン先没入状態を示す要部拡大縦断面図である。
【図４】図３のＡ−Ａ線断面図である。
【図５】図３のＢ−Ｂ線断面図である。
【符号の説明】
１  出没式筆記具
２  軸筒
２１  先端部
２２  ノック部
２３  クリップ
３  先端口
３１  凹部
３２  ゲート部（ゲートマーク）
３３  支持部
４  筆記具レフィル
５  ペン先
５１  チップ本体
５２  ボール
５３  先端縁部
５４  内方突出部
６  ペン先ホルダー
６１  前部
６２  鍔部
６３  後部
６４  取付孔
６５  インキ流通孔
６６  係止突起
７  スプリング
７１  ストレート部
７２  コイル部
８  インキ収容管
９  コイルスプリング
α  凹部の周方向の範囲を表す角度
【図１】
0003958600.tif 000002
【図２】
0003958600.tif 000003
【図３】
0003958600.tif 000004
【図４】
0003958600.tif 000005
【図５】
0003958600.tif 000006